(57)【特許請求の範囲】
【請求項１】
交換可能な記憶媒体と接続する接続手段を有する情報処理装置であって、
交換可能な電源と、
メモリと、
前記電源の電力消費モードが省電力モードであるときに前記接続手段に記憶媒体が接続されたことを検知する検知手段と、
前記検知手段により前記接続手段に記憶媒体が接続されたことが検知されたとき、及び、前記電源が装着されたときに、該記憶媒体の記憶状態に関する記憶媒体情報を該記憶媒体から読み出して前記メモリに保存する保存手段と、
前記電力消費モードが非省電力モードであるときに前記接続手段に接続された記憶媒体へのアクセスを伴う処理を実行する処理手段と、
前記電力消費モードが前記省電力モードから前記非省電力モードに移行することにより前記処理手段が起動されたときに、前記メモリから前記記憶媒体情報を読み出して前記処理手段に提供する提供手段と、
を備えることを特徴とする情報処理装置。
【請求項２】
前記電源を充電する充電手段を更に備え、前記保存手段は、前記充電手段による前記電源の充電が完了したときにも、前記接続手段に接続されている記憶媒体から記憶媒体情報を読み出して前記メモリに保存することを特徴とする請求項１に記載の情報処理装置。
【請求項３】
電源スイッチを更に備え、前記電力消費モードは、前記電源スイッチがＯＮ状態に設定されたときに前記省電力モードから前記非省電力モードに移行し、これにより前記処理手段が起動されることを特徴とする請求項１又は請求項２に記載の情報処理装置。
【請求項４】
前記電源スイッチがＯＦＦ状態に設定されたときに前記メモリ内の記憶媒体情報を更新する更新手段を更に備え、前記電力消費モードは、前記更新手段による更新処理が完了した後に前記非省電力モードから前記省電力モードに移行することを特徴とする請求項３に記載の情報処理装置。
【請求項５】
前記メモリは、不揮発性メモリであることを特徴とする請求項１乃至請求項４のいずれか１項に記載の情報処理装置。
【請求項６】
前記メモリは、揮発性メモリであることを特徴とする請求項１乃至請求項４のいずれか１項に記載の情報処理装置。
【請求項７】
前記記憶媒体情報は、前記記憶媒体に記録された情報のファイル名及び／又は該記憶媒体の残容量に関する情報を含むことを特徴とする請求項１乃至請求項６のいずれか１項に記載の情報処理装置。
【請求項８】
前記処理手段は、被写体像を撮像して撮像画像を前記記憶媒体に記録する撮像手段を含むことを特徴とする請求項１に記載の情報処理装置。
【請求項９】
交換可能な記憶媒体と接続する接続手段を有する情報処理装置であって、
電源と、
前記電源を充電する充電手段と、
メモリと、
前記電源の電力消費モードが省電力モードであるときに前記接続手段に記憶媒体が接続されたことを検知する検知手段と、
前記検知手段により前記接続手段に記憶媒体が接続されたことが検知されたとき、及び、前記充電手段による前記電源の充電が完了したときに、該記憶媒体の記憶状態に関する記憶媒体情報を該記憶媒体から読み出して前記メモリに保存する保存手段と、
前記電力消費モードが非省電力モードであるときに前記接続手段に接続された記憶媒体へのアクセスを伴う処理を実行する処理手段と、
前記電力消費モードが前記省電力モードから前記非省電力モードに移行することにより前記処理手段が起動されたときに、前記メモリから前記記憶媒体情報を読み出して前記処理手段に提供する提供手段と、
を備えることを特徴とする情報処理装置。
【請求項１０】
電源スイッチを更に備え、前記電力消費モードは、前記電源スイッチがＯＮ状態に設定されたときに前記省電力モードから前記非省電力モードに移行し、これにより前記処理手段が起動されることを特徴とする請求項９に記載の情報処理装置。
【請求項１１】
前記電源スイッチがＯＦＦ状態に設定されたときに前記メモリ内の記憶媒体情報を更新する更新手段を更に備え、前記電力消費モードは、前記更新手段による更新処理が完了した後に前記非省電力モードから前記省電力モードに移行することを特徴とする請求項１０に記載の情報処理装置。
【請求項１２】
交換可能な記憶媒体と接続する接続手段と、交換可能な電源と、メモリと、前記電源の電力消費モードが省電力モードであるときに前記接続手段に記憶媒体が接続されたことを検知する検知手段とを有する情報処理装置の制御方法であって、
前記検知手段により前記接続手段に記憶媒体が接続されたことが検知されたとき、及び、前記電源が装着されたときに、該記憶媒体の記憶状態に関する記憶媒体情報を該記憶媒体から読み出して前記メモリに保存する保存工程と、
前記電力消費モードが非省電力モードであるときに前記接続手段に接続された記憶媒体へのアクセスを伴う処理を実行する処理工程と、
前記電力消費モードが前記省電力モードから前記非省電力モードに移行することにより前記処理工程が起動されたときに、前記メモリから前記記憶媒体情報を読み出して前記処理工程に提供する提供工程と、
を含むことを特徴とする情報処理装置の制御方法。
【請求項１３】
交換可能な記憶媒体と接続する接続手段と、電源と、メモリと、前記電源の電力消費モードが省電力モードであるときに前記接続手段に記憶媒体が接続されたことを検知する検知手段とを有する情報処理装置の制御方法であって、
前記電源を充電する充電工程と、
前記検知手段により前記接続手段に記憶媒体が接続されたことが検知されたとき、及び、前記充電工程による前記電源の充電が完了したときに、該記憶媒体の記憶状態に関する記憶媒体情報を該記憶媒体から読み出して前記メモリに保存する保存工程と、
前記電力消費モードが非省電力モードであるときに前記接続手段に接続された記憶媒体へのアクセスを伴う処理を実行する処理工程と、
前記電力消費モードが前記省電力モードから前記非省電力モードに移行することにより前記処理工程が起動されたときに、前記メモリから前記記憶媒体情報を読み出して前記処理工程に提供する提供工程と、
を含むことを特徴とする情報処理装置の制御方法。
【請求項１４】
交換可能な記憶媒体と接続する接続手段と、交換可能な電源と、メモリと、前記電源の電力消費モードが省電力モードであるときに前記接続手段に記憶媒体が接続されたことを検知する検知手段とを有する情報処理装置の制御プログラムを格納したメモリ媒体であって、該制御プログラムは、
前記検知手段により前記接続手段に記憶媒体が接続されたことが検知されたとき、及び、前記電源が装着されたときに、該記憶媒体の記憶状態に関する記憶媒体情報を該記憶媒体から読み出して前記メモリに保存する保存工程と、
前記電力消費モードが非省電力モードであるときに前記接続手段に接続された記憶媒体へのアクセスを伴う処理を実行する処理工程と、
前記電力消費モードが前記省電力モードから前記非省電力モードに移行することにより前記処理工程が起動されたときに、前記メモリから前記記憶媒体情報を読み出して前記処理工程に提供する提供工程と、
を含むことを特徴とするメモリ媒体。
【請求項１５】
交換可能な記憶媒体と接続する接続手段と、電源と、メモリと、前記電源の電力消費モードが省電力モードであるときに前記接続手段に記憶媒体が接続されたことを検知する検知手段とを有する情報処理装置の制御プログラムを格納したメモリ媒体であって、該制御プログラムは、
前記電源を充電する充電工程と、
前記検知手段により前記接続手段に記憶媒体が接続されたことが検知されたとき、及び、前記充電工程による前記電源の充電が完了したときに、該記憶媒体の記憶状態に関する記憶媒体情報を該記憶媒体から読み出して前記メモリに保存する保存工程と、
前記電力消費モードが非省電力モードであるときに前記接続手段に接続された記憶媒体へのアクセスを伴う処理を実行する処理工程と、
前記電力消費モードが前記省電力モードから前記非省電力モードに移行することにより前記処理工程が起動されたときに、前記メモリから前記記憶媒体情報を読み出して前記処理工程に提供する提供工程と、
を含むことを特徴とするメモリ媒体。
【発明の詳細な説明】
【０００１】
【発明の属する技術分野】
本発明は、情報処理装置及びその制御方法並びにメモリ媒体に関する。
【０００２】
【従来の技術】
近年、交換可能な記憶媒体を備える撮像装置が数多く開発されている。従来の交換可能な記憶媒体を備える撮像装置では、電源が投入されると、該撮像装置に実装されている記憶媒体の記憶状態に関する情報（記憶媒体情報）を該記憶媒体から読み出し、その情報に基づいて該記憶媒体の記憶状態を認識し、該記憶状態に基づいて次の撮像データを該記憶媒体に記録する。例えば、記憶媒体情報としては、例えば、記憶されている画像データのファイル名や記憶媒体の残容量等が含まれる。記憶媒体の容量の増大に伴って、記憶媒体情報の読み出しに要する時間も増加しており、これにより、電源を投入してから撮影が可能にするまでの待ち時間も増加している。
【０００３】
図５は、従来の撮像装置の構成を示すブロック図である。図６は、図５に示す撮像装置の動作の状態遷移を示す図である。電源スイッチ３０４がＯＮ状態に設定されてから撮影が可能な状態（６０６）に移行するまでの時間を短縮するために、制御部３０６は、動作中（６０６）に記憶媒体情報を不揮発性メモリで構成されたバックアップメモリ３０８に書き込んでおき（６０８）、電源スイッチ３０４がＯＦＦ状態（６０１）の時にも該記憶媒体情報を保持する。
【０００４】
そして、電源がＯＮ状態になったら、制御部３０６はシステムを起動し（６０４）、記憶媒体３１０が交換されたか否かを検出する検出スイッチ３０３の状態を確認する。その結果、記憶媒体３１０が交換されていない場合は、バックアップメモリ３０８に保持されている記憶媒体情報を読み出して、記録媒体３１０の記録状態を認識する（６０３）。一方、電源がＯＦＦ状態の時に記憶媒体３１０が交換された可能性がある場合は、記憶媒体３１０から記憶媒体情報を読み出して、記憶媒体３１０の記録状態を認識する（６０５）。
【０００５】
記録媒体３１０の記録状態を認識した後、制御部３０６は、撮像部３０７の制御プログラムを起動し、撮影が可能な状態にする（６０６）。
【０００６】
【発明が解決しようとする課題】
しかしながら、上記の従来例においては、電源がＯＦＦ状態の時に記憶媒体３１０が交換された場合に、電源の投入後に、該記憶媒体３１０から記憶媒体情報を読み出す必要があるため、電源を投入してから撮影が可能になるまでに長時間を要し、例えば撮影者がシャッターチャンスを逃すという問題があった。
【０００７】
本発明は、上記の背景に鑑みてなされたものであり、例えば、撮像装置等の情報処理装置において電源がＯＮ状態にされてから所定の動作状態に至るまでの時間を短縮することを目的とする。
【０００８】
【課題を解決するための手段】
本発明の第１の側面に係る情報処理装置は、交換可能な記憶媒体と接続する接続手段を有する情報処理装置に係り、該装置は、交換可能な電源と、メモリと、前記電源の電力消費モードが省電力モードであるときに前記接続手段に記憶媒体が接続されたことを検知する検知手段と、前記検知手段により前記接続手段に記憶媒体が接続されたことが検知されたとき、及び、前記電源が装着されたときに、該記憶媒体の記憶状態に関する記憶媒体情報を該記憶媒体から読み出して前記メモリに保存する保存手段と、前記電力消費モードが非省電力モードであるときに前記接続手段に接続された記憶媒体へのアクセスを伴う処理を実行する処理手段と、前記電力消費モードが前記省電力モードから前記非省電力モードに移行することにより前記処理手段が起動されたときに、前記メモリから前記記憶媒体情報を読み出して前記処理手段に提供する提供手段とを備えることを特徴とする。
【０００９】
本発明の第１の側面に係る情報処理装置において、前記電源を充電する充電手段を更に備え、前記保存手段は、前記充電手段による前記電源の充電が完了したときにも、前記接続手段に接続されている記憶媒体から記憶媒体情報を読み出して前記メモリに保存することが好ましい。
【００１０】
本発明の第１の側面に係る情報処理装置は、電源スイッチを更に備え、前記電力消費モードは、前記電源スイッチがＯＮ状態に設定されたときに前記省電力モードから前記非省電力モードに移行し、これにより前記処理手段が起動されることが好ましい。
【００１１】
本発明の第１の側面に係る情報処理装置は、前記電源スイッチがＯＦＦ状態に設定されたときに前記メモリ内の記憶媒体情報を更新する更新手段を更に備え、前記電力消費モードは、前記更新手段による更新処理が完了した後に前記非省電力モードから前記省電力モードに移行することが好ましい。
【００１２】
本発明の第１の側面に係る情報処理装置において、前記メモリは、不揮発性メモリであってもよいし、揮発性メモリであってもよい。
【００１３】
本発明の第１の側面に係る情報処理装置において、前記記憶媒体情報は、前記記憶媒体に記録された情報のファイル名及び／又は該記憶媒体の残容量に関する情報を含むことが好ましい。
【００１４】
本発明の第１の側面に係る情報処理装置において、前記処理手段は、被写体像を撮像して撮像画像を前記記憶媒体に記録する撮像手段を含むことが好ましい。
【００１５】
本発明の第２の側面に係る情報処理装置は、交換可能な記憶媒体と接続する接続手段を有する情報処理装置に係り、該装置は、電源と、前記電源を充電する充電手段と、メモリと、前記電源の電力消費モードが省電力モードであるときに前記接続手段に記憶媒体が接続されたことを検知する検知手段と、前記検知手段により前記接続手段に記憶媒体が接続されたことが検知されたとき、及び、前記充電手段による前記電源の充電が完了したときに、該記憶媒体の記憶状態に関する記憶媒体情報を該記憶媒体から読み出して前記メモリに保存する保存手段と、前記電力消費モードが非省電力モードであるときに前記接続手段に接続された記憶媒体へのアクセスを伴う処理を実行する処理手段と、前記電力消費モードが前記省電力モードから前記非省電力モードに移行することにより前記処理手段が起動されたときに、前記メモリから前記記憶媒体情報を読み出して前記処理手段に提供する提供手段とを備えることを特徴とする情報処理装置。
【００１６】
本発明の第２の側面に係る情報処理装置は、電源スイッチを更に備え、前記電力消費モードは、前記電源スイッチがＯＮ状態に設定されたときに前記省電力モードから前記非省電力モードに移行し、これにより前記処理手段が起動されることが好ましい。
【００１７】
本発明の第２の側面に係る情報処理装置は、前記電源スイッチがＯＦＦ状態に設定されたときに前記メモリ内の記憶媒体情報を更新する更新手段を更に備え、前記電力消費モードは、前記更新手段による更新処理が完了した後に前記非省電力モードから前記省電力モードに移行することが好ましい。
【００１８】
本発明の第３の側面に係る情報処理装置の制御方法は、交換可能な記憶媒体と接続する接続手段と、交換可能な電源と、メモリと、前記電源の電力消費モードが省電力モードであるときに前記接続手段に記憶媒体が接続されたことを検知する検知手段とを有する情報処理装置の制御方法に係り、該方法は、前記検知手段により前記接続手段に記憶媒体が接続されたことが検知されたとき、及び、前記電源が装着されたときに、該記憶媒体の記憶状態に関する記憶媒体情報を該記憶媒体から読み出して前記メモリに保存する保存工程と、前記電力消費モードが非省電力モードであるときに前記接続手段に接続された記憶媒体へのアクセスを伴う処理を実行する処理工程と、前記電力消費モードが前記省電力モードから前記非省電力モードに移行することにより前記処理工程が起動されたときに、前記メモリから前記記憶媒体情報を読み出して前記処理工程に提供する提供工程とを含むことを特徴とする。
【００１９】
本発明の第４の側面に係る情報処理装置の制御方法は、交換可能な記憶媒体と接続する接続手段と、電源と、メモリと、前記電源の電力消費モードが省電力モードであるときに前記接続手段に記憶媒体が接続されたことを検知する検知手段とを有する情報処理装置の制御方法に係り、該方法は、前記電源を充電する充電工程と、前記検知手段により前記接続手段に記憶媒体が接続されたことが検知されたとき、及び、前記充電工程による前記電源の充電が完了したときに、該記憶媒体の記憶状態に関する記憶媒体情報を該記憶媒体から読み出して前記メモリに保存する保存工程と、前記電力消費モードが非省電力モードであるときに前記接続手段に接続された記憶媒体へのアクセスを伴う処理を実行する処理工程と、前記電力消費モードが前記省電力モードから前記非省電力モードに移行することにより前記処理工程が起動されたときに、前記メモリから前記記憶媒体情報を読み出して前記処理工程に提供する提供工程と、を含むことを特徴とする。
【００２０】
本発明の第５の側面に係るメモリ媒体は、交換可能な記憶媒体と接続する接続手段と、交換可能な電源と、メモリと、前記電源の電力消費モードが省電力モードであるときに前記接続手段に記憶媒体が接続されたことを検知する検知手段とを有する情報処理装置の制御プログラムを格納したメモリ媒体に係り、該制御プログラムは、前記検知手段により前記接続手段に記憶媒体が接続されたことが検知されたとき、及び、前記電源が装着されたときに、該記憶媒体の記憶状態に関する記憶媒体情報を該記憶媒体から読み出して前記メモリに保存する保存工程と、前記電力消費モードが非省電力モードであるときに前記接続手段に接続された記憶媒体へのアクセスを伴う処理を実行する処理工程と、前記電力消費モードが前記省電力モードから前記非省電力モードに移行することにより前記処理工程が起動されたときに、前記メモリから前記記憶媒体情報を読み出して前記処理工程に提供する提供工程とを含むことを特徴とする。
【００２１】
本発明の第６の側面に係るメモリ媒体は、交換可能な記憶媒体と接続する接続手段と、電源と、メモリと、前記電源の電力消費モードが省電力モードであるときに前記接続手段に記憶媒体が接続されたことを検知する検知手段とを有する情報処理装置の制御プログラムを格納したメモリ媒体であって、該制御プログラムは、前記電源を充電する充電工程と、前記検知手段により前記接続手段に記憶媒体が接続されたことが検知されたとき、及び、前記充電工程による前記電源の充電が完了したときに、該記憶媒体の記憶状態に関する記憶媒体情報を該記憶媒体から読み出して前記メモリに保存する保存工程と、前記電力消費モードが非省電力モードであるときに前記接続手段に接続された記憶媒体へのアクセスを伴う処理を実行する処理工程と、前記電力消費モードが前記省電力モードから前記非省電力モードに移行することにより前記処理工程が起動されたときに、前記メモリから前記記憶媒体情報を読み出して前記処理工程に提供する提供工程とを含むことを特徴とする。
【００２７】
【発明の実施の形態】
以下、本発明の好適な実施の形態を説明する。
【００２８】
［第１の実施の形態］
図１は、本発明の第１の実施の形態に係る撮像装置の構成を示すブロック図である。撮像装置１００は、撮像素子や画像処理部等を含む撮像部１０７に撮像制御プログラムに基づいて撮影を実行させ、撮影に係る画像データを記憶媒体スロット１０２に装着された着脱可能な記憶媒体１１０に書き込む。
【００２９】
撮像装置１００は、電源スイッチ１０４がＯＮ状態に設定されることにより、電源回路１０５が作動し、これにより装置全体が動作状態となる。また、撮像装置１００は、検出スイッチ１０３により記憶媒体スロット１０２に装着された記憶媒体が交換されたことが検知された場合に、電源回路１０５が作動し、これにより装置全体が動作状態となる。検出スイッチ１０３は、機械的なスイッチであってもよいし、電子部品を含むスイッチであってもよい。後者の場合は、検出スイッチ１０３は、電池１０９或いは他の電池（不図示）から常時電力の供給を受ける。
【００３０】
図２は、図１に示す撮像装置１００の状態遷移を示す図である。電源回路１０５が非動作状態（電源ＯＦＦ）である時（２０１）に、記憶媒体スロット１０２に装着されている記憶媒体が他の記憶媒体に交換されたこと、或いは、記録媒体が取り外された後に再度スロット１０２に装着されたことが検出スイッチ１０３により検出されると、電源回路１０５が動作状態となり装置全体に電力が供給される。ここで、検出スイッチ１０３に記録媒体を識別するための識別手段を設けて、装着されていた記録媒体が他の記録媒体に交換された場合にのみ電源回路１０５を作動させてもよい。
【００３１】
電力の供給により、制御部１０６は、制御プログラムを起動し（システム起動：２０２）、記憶媒体スロット１０２に装着された記憶媒体１１０から記憶媒体情報を読み出し（２０３）、該記憶媒体情報をバックアップメモリ１０８に書き込む（２０４）。バックアップメモリ１０８は、例えば不揮発性のメモリであって、例えばＥＥＰＲＯＭやバッテリバックアップ機能を有するＲＡＭ等で構成され得る。記憶媒体情報情報としては、例えば、記憶されている画像データのファイル名や記憶媒体の残容量等が含まれる。
【００３２】
その後、制御部１０６は、電源スイッチ１０４の状態を確認し、電源スイッチ１０４がＯＦＦ状態に設定されている場合は、電源回路１０５を非動作状態にすることにより、電源ＯＦＦ状態（２０１）に移行し、電源スイッチ１０４がＯＮ状態に設定されている場合は、電源１０５を継続して動作状態に維持させると共に、撮像制御プログラムを起動すると共に該撮像制御プログラムに記憶媒体情報を引き渡して、撮像部１０７による撮像が可能な状態（２０７）に移行する。
【００３３】
電源回路１０５が非動作状態である時（２０１）に、電源スイッチ１０４がＯＮ状態に設定されると、電源回路１０５が動作状態となり制御部１０６に電力が供給される。これにより、制御部１０６は、制御プログラムを起動し（システム起動：２０５）、バックアップメモリ２０５から記憶媒体情報を読み出し（２０６）、撮像部１０７を制御するための撮像制御プログラムを起動すると共に該記憶媒体情報を該撮像制御プログラムに引き渡し、撮像部１０７による撮像が可能な状態（２０７）に移行する。
【００３４】
撮像制御プログラムが起動されると、撮像装置１００は、撮影者からの指示（例えば、レリーズボタンを介して与えられる指示）に従って撮影を実行し、撮影に係る画像データを記憶媒体１１０に書き込む。
【００３５】
電源スイッチ１０４がＯＦＦ状態に設定されると、撮像装置１００は、バックアップメモリ１０８中の記憶媒体情報を更新し（２０８）、その後、電源回路１０５を非動作状態にすることにより、電源ＯＦＦ状態（２０１）に移行する。
【００３６】
以上のように、この実施の形態では、電源スイッチ１０４がＯＦＦ状態の時に記憶媒体が交換或いは脱着（取り外し及び再装着）された場合において、装着された記憶媒体の記憶媒体情報を該記憶媒体から読み出して、これをバックアップメモリ１０８に保存し、電源スイッチ１０４がＯＮ状態になった時にバックアップメモリ１０８から記憶媒体情報を読み出す。そして、この記憶媒体情報を、撮像の制御（例えば、記憶媒体への画像データの書き込み処理の制御）のために利用する。これにより、電源スイッチ１０４がＯＮ状態にされた時に記憶媒体情報を取得して撮影が可能な状態に移行するまでの待ち時間を短縮することができる。
【００３７】
［第２の実施の形態］
図３は、本発明の第２の実施の形態に係る撮像装置の構成を示すブロック図である。撮像装置２００は、撮像素子や画像処理部等を含む撮像部２０７に撮像制御プログラムに基づいて撮影を実行させ、撮影に係る画像データを記憶媒体スロット２０２に装着された着脱可能な記憶媒体２１０に書き込む。
【００３８】
撮像装置２００は、交換可能な電池２０９が装着部に装着されることにより動作状態となり、記憶媒体スロット２０２に装着されている記憶媒体２１０から記憶媒体情報を読み出してバックアップメモリ２０８に書き込む。その後、撮像装置２００は、電源スイッチ２０４がＯＦＦ状態に設定されている場合は、シャットダウン処理を行い、省電力状態（スタンバイ状態）に移行する。
【００３９】
バックアップメモリ２０８は、例えば、電池２０９から供給される電力によって駆動されるメモリであって、不揮発性メモリ又は揮発性メモリで構成される。
【００４０】
撮像装置２００は、電源スイッチ２０４がＯＮ状態に設定されると、起床回路２０５により制御部２０６が起動され、これにより装置全体が省電力状態から非省電力状態（通常動作状態）に移行する。
【００４１】
また、撮像装置２００は、電池２０９の出力電圧が所定電圧を下回った場合に、それが電池電圧検出部２０１により検出され、これに応じて省電力状態から動作停止状態に移行する。そして、電池２０９が充電器２１１により充電され、所定電圧を越えたことが電池電圧検出部２０１により検出されると、制御部２０６が起動され、制御部２０６により、記憶媒体スロット２０２に装着されている記憶媒体２１０から記憶媒体情報が読み出されバックアップメモリ２０８に書き込まれる。換言すると、この撮像装置２００では、電池２０９の出力電圧が所定の電圧を下回った場合には、バックアップメモリ２０８に保持されている記憶媒体情報が無効にされ、電池２０９の出力電圧２０９が所定の電圧を超えた後に、制御部２０６により、記憶媒体２１０から記憶媒体情報が読み出されバックアップメモリ２０８に書き込まれる。
【００４２】
図４は、図３に示す撮像装置１００の動作の状態遷移を示す図である。省電力状態（４０９）で電源スイッチ２０４がＯＮ状態に設定された場合又は不図示の操作部（例えば、レリーズボタン、モードの設定ボタン等）が操作されると、起床回路２０５により制御部２０６が起動され、省電力状態（４０９）から非省電力状態（通常動作状態：４０６〜４０８、４１０）に移行する。これにより制御部２０６は、制御プログラムを起動し（システム起動：４０６）、バックアップメモリ２０８から、記憶媒体スロット２０２に装着されている記憶媒体２１０の記憶媒体情報を読み出し（４０７）、撮像部２０７を制御するための撮像制御プログラムを起動すると共に該記憶媒体情報を該撮像制御プログラムに引き渡す（４０８）。
【００４３】
撮像制御プログラムが起動されると、撮像装置２００は、撮影者からの指示（例えば、レリーズボタンを介して与えられる指示）に従って撮影を実行し、撮影に係る画像データを記憶媒体２１０に書き込む。
【００４４】
このように、電源スイッチ２０４がＯＮ状態に設定された時に、記憶媒体２１０から記憶媒体情報を読み出すのではなく、バックアップメモリ２０８から記憶媒体情報を読み出すことにより、迅速に撮影可能な状態（４０８）に移行させることができる。
【００４５】
撮像制御プログラムが動作している状態（４０８）で、電源スイッチ２０４がＯＦＦ状態に設定されると、制御部２０６は、バックアップメモリ２０８中の記憶媒体情報を更新し（４１０）、その後、シャットダウン処理を行い省電力状態（４０９）に移行する。更に、この撮像装置２００では、撮像制御プログラムが動作している状態（４０８）で、所定時間以上、撮像装置の不図示の操作部（例えば、レリーズボタン、モードの設定ボタン等）が操作されない場合には、制御部２０６は、電源スイッチ２０４がＯＦＦ状態に設定された場合と同様に、バックアップメモリ２０８中の記憶媒体情報を更新し（４１０）、その後、シャットダウン処理を行い省電力状態（４０９）に移行する。
【００４６】
省電力状態（４０９）において電池２０９が装着部から取り外されると、無電源状態（４０１）となり、全ての動作を停止する。この状態で、電池２０９が装着部に装着されると、電源スイッチ２０４の状態に拘らず、起床回路２０５により制御部２０６が起動される（４０２）。
【００４７】
また、省電力状態（４０９）において、記録媒体スロット２０２に装着されている記憶媒体が他の記憶媒体に交換されたこと、或いは、記録媒体が取り外された後に再度スロット２０２に装着されたことが検出スイッチ２０３により検出された場合も、起床回路２０５により制御部２０６が起動される（４０２）。
【００４８】
また、省電力状態（４０９）において、電池２０９の出力電圧が所定電圧を下回ったことが電池電圧検出部２０１により検出されると、制御部２０６は、動作停止状態（４０５）に移行する。この所定電圧とは、例えば、制御部２０６、撮像部２０７、記憶媒体２１０等が動作可能な電圧或いは撮影が可能な電圧である。
【００４９】
動作停止状態（４０５）において、充電器２１１により電池２０９が充電され、電池２０９の出力電圧が所定の電圧を超えたことが電池電圧検出部２０１により検出されると、起床回路２０５により制御部２０６が起動される（４０２）。また、動作停止状態（４０５）において、交換等のために電池２０９が装着部から取り外されると、無電源状態（４０１）となり、全ての動作を停止する。
【００５０】
省電力状態（４０９）、無電源状態（４０１）又は動作停止状態（４０５）から制御部２０６の起動状態（４０２）に移行すると、制御部２０６は、制御プログラムを起動し、記憶媒体２１０から記憶媒体情報を読み出し（４０３）、該記憶媒体情報をバックアップメモリ４０８に書き込む（４０４）。ここで、状態４０２〜４０４は、非省電力状態（通常動作状態）である。
【００５１】
その後、制御部２０６は、電源スイッチ２０４の状態を確認し、電源スイッチ２０４がＯＦＦ状態に設定されている場合は、シャットダウン処理を行い省電力状態（４０９）に移行する。一方、電源スイッチ２０４がＯＮ状態に設定されている場合は、撮像制御プログラムを起動すると共に該撮像制御プログラムに記憶媒体情報を引き渡して、撮像部１０７による撮像が可能な状態（４０８）に移行する。
【００５２】
以上のように、この実施の形態では、電池２０９が装着された時、又は、電池２０９が充電されて撮像装置２００が動作可能何状態になった時、又は、記憶媒体２１０が装着された時に、記憶媒体２１０から記憶媒体情報を読み出して、これをバックアップメモリ２０８に保存し、電源スイッチ２０４がＯＮ状態に設定された時にバックアップメモリ２０８から記憶媒体情報を読み出す。そして、この記憶媒体情報を、撮像の制御（例えば、記憶媒体への画像データの書き込み処理の制御）のために利用する。これにより、電源スイッチ２０４がＯＮ状態にされた時に記憶媒体情報を取得して撮影可能な状態に移行するまでの待ち時間を短縮することができる。
【００５３】
なお、本発明は、複数の機器（例えば、交換レンズ、カメラ本体）から構成されるシステムに適用しても、一つの機器からなる装置（例えば、レンズ付きカメラ）に適用してもよい。
【００５４】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【００５５】
この場合、記憶媒体から読出されたプログラムコード自体が前述した実施形態の機能を実現することになり、そのプログラムコードを記憶した記憶媒体は本発明を構成することになる。
【００５６】
プログラムコードを供給するための記憶媒体としては、例えば、フロッピディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００５７】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００５８】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００５９】
【発明の効果】
本発明によれば、例えば、撮像装置等の情報処理装置において電源がＯＮ状態にされてから所定の動作状態に至るまでの時間を短縮することができる。
【図面の簡単な説明】
【図１】本発明の第１の実施の形態に係る撮像装置の構成を示すブロック図である。
【図２】図１に示す撮像装置の動作の状態遷移を示す図である。
【図３】本発明の第２の実施の形態に係る撮像装置の構成を示すブロック図である。
【図４】図３に示す撮像装置の動作の状態遷移を示す図である。
【図５】図５は、従来の撮像装置の構成を示すブロック図である。
【図６】図５に示す撮像装置の動作の状態遷移を示す図である。
【図１】
0003950585.tif 000002
【図２】
0003950585.tif 000003
【図３】
0003950585.tif 000004
【図４】
0003950585.tif 000005
【図５】
0003950585.tif 000006
【図６】
0003950585.tif 000007